(57)【要約】【課題】被梱包物に傾きを向けて挿入することで、保護機能に優れ尚且つ材料消費量を低減した緩衝材を提供するものである。【解決手段】前面に曲面部の形状を持った分離型空気調和機室内機である被梱包物２の両端を支持する緩衝材１において、被梱包物２の前面を天側面に向けて緩衝材１に挿入する。このとき、被梱包物２を緩衝材１の挿入部３に対して回転させて傾きを設けて挿入する挿入部３を形成することで被梱包物の弱部と緩衝材の天面の表面との距離を十分に確保し、保護機能に優れた緩衝材を提供することができる。【選択図】図１
2009090994.tif 000002
【特許請求の範囲】
【請求項１】
本体上方から本体下方に向かって漸次奥行きが減少する様な曲面形状を本体前面に持つ分離型空気調和機の室内機の両端を支持する緩衝材において、前記室内機の本体前面を前記緩衝材の天側面に向けて前記緩衝材に挿入し、前記室内機を前記室内機の長手方向に平行な軸に対して前記室内機の本体下方が前記緩衝材の天面に対して近接するように回転させ傾きを設けて挿入する挿入部を形成したことを特徴とする緩衝材。
【請求項２】
緩衝材に分離型空気調和機の室内機を挿入する際、前記室内機の吸込み側が前記室内機の吹出し側より下に下がるような傾きを設けた挿入部を形成したことを特徴とする請求項１記載の緩衝材。
【発明の詳細な説明】
【技術分野】
【０００１】
本発明は、被梱包物である分離型空気調和機室内機を支持し外力より保護する緩衝材に関するものである。
【背景技術】
【０００２】
従来の緩衝材は、図３に示すように被梱包物である分離型空気調和機室内機ａの両側に緩衝材ｂを挿入し被梱包物である分離型空気調和機室内機ａを支持する。このとき、被梱包物である分離型空気調和機室内機は緩衝材と同一に水平状態で挿入され支持されていた。かかる先行技術は文献公知発明のものでないため、記載すべき先行技術文献はない。
【発明の開示】
【発明が解決しようとする課題】
【０００３】
しかしながら、上記従来の構成では被梱包物を緩衝材に挿入したとき被梱包物の全方向に対して緩衝空間が必要であり、被梱包物の外形から一定の緩衝空間を形成する必要がある。しかし、被梱包物である分離型空気調和機室内機は、前面に曲面部のデザインを施している場合が多く前面側には多くの余分な空間を確保する必要が有るため、緩衝材の外形も大きくなり材料使用量も多く材料費も高価となる。また、被梱包物前面が曲面部のため緩衝空間を効率よく使用して同梱物の収納などに使用するのも行いにくいなどの欠点があった。
【０００４】
本発明は、このような従来の課題を解決するのもので、緩衝材の緩衝空間を最小にし、緩衝材の材料使用量も低減して緩衝材全体の外形も小型化できる緩衝材である。
【課題を解決するための手段】
【０００５】
上記課題を解決するために本発明の緩衝材は、本体上方から本体下方に向かって漸次奥行きが減少する様な曲面形状を本体前面に持つ分離型空気調和機の室内機の両端を支持する緩衝材において、前記室内機の本体前面を前記緩衝材の天側面に向けて前記緩衝材に挿入し、前記室内機を前記室内機の長手方向に平行な軸に対して前記室内機の本体下方が前記緩衝材の天面に対して近接するように回転させ傾きを設けて挿入する挿入部を形成したもので、この構成をなすことにより、被梱包物である分離型空気調和機室内機の前面にあった曲面部に傾きを設けられ、曲面部片側に多くの空間が設けられると共に、曲面部全体が下に下がり緩衝空間も多く取ることが可能である。
【０００６】
また、緩衝材に分離型空気調和機の室内機を挿入する際、前記室内機の吸込み側が前記室内機の吹出し側より下に下がるような傾きを設けた挿入部を形成したもので、この構成をなすことにより、分離型空気調和機室内機の剛性の高い天面側を緩衝材の底面い近い側に傾けることで、より緩衝空間の少ない距離で緩衝材を構成することが可能となり緩衝材の保護機能を向上させることが可能である。
【発明の効果】
【０００７】
本発明の緩衝材は、挿入部に傾きを設けることにより被梱包物に傾きを設けて挿入することで被梱包物の保護機能に優れ緩衝材全体の外形も小型化でき加工も容易な緩衝材である。
【発明を実施するための最良の形態】
【０００８】
第１の発明は本体上方から本体下方に向かって漸次奥行きが減少する様な曲面形状を本体前面に持つ分離型空気調和機の室内機の両端を支持する緩衝材において、前記室内機の
本体前面を前記緩衝材の天側面に向けて前記緩衝材に挿入し、前記室内機を前記室内機の長手方向に平行な軸に対して前記室内機の本体下方が前記緩衝材の天面に対して近接するように回転させ傾きを設けて挿入する挿入部を形成したものである。この構成をなすことにより、被梱包物である分離型空気調和機室内機の前面にあった曲面部に傾きを設けられ、曲面部片側に多くの空間が設けられると共に、曲面部全体が下に下がり緩衝空間も多く取ることが可能である。また、緩衝材全体を小型化し緩衝材を構成する材料の使用量を削減することも可能である。
【０００９】
第２の発明は、特に第１の発明の緩衝材に分離型空気調和機の室内機を挿入する際、前記室内機の吸込み側が前記室内機の吹出し側より下に下がるような傾きを設けた挿入部を形成したものである。この構成をなすことにより、分離型空気調和機室内機の剛性の高い天面側を緩衝材の底面に近い側に傾けることで、より緩衝空間の少ない距離で緩衝材を構成することが可能となり、緩衝材の保護機能を向上させると共に緩衝材の小型化が可能である。
【００１０】
（実施の形態１）
図１、図２は、本発明の第１の実施形態における緩衝材に被梱包物である分離型空気調和機室内機を挿入した状態を示す分解斜視図、及び要部断面図である。
【００１１】
一体に成型されたトレイ状の緩衝材１は、中央に被梱包物２である分離型空気調和機室内機を挿入する挿入部３を形成している。この挿入部３は、被梱包物２の外形形状に沿うように形成され、被梱包物２の外形に形成された曲面部４に沿って挿入部３を形成する。さらに、図２に示すように被梱包物２が挿入部３に対して回転するように傾き５を設け挿入部３の形状が形成されている。
【００１２】
そして、緩衝材１に被梱包物２を挿入することで被梱包物２に傾きが付いた状態で緩衝材１に固定される。
【００１３】
以上のように、本実施例の形態においては、被梱包物が緩衝材に固定されることで被梱包物に傾きが付いた状態で固定され、被梱包物と緩衝材外郭との空間が片側に多く形成することが可能となる。特に、被梱包物の曲面部に多くの空間を確保することが可能となると共に曲面部全体が下に下がることにより曲面部の緩衝空間が多く確保でき、緩衝材を大型化することなく外力からの保護も向上する。また、緩衝材の加工も従来と同一の方法で行うことが可能で加工性も低減することは無い。
【００１４】
（実施の形態２）
図２は、本発明の第２の実施形態における緩衝材に被梱包物である分離型空気調和機室内機を挿入した状態を示す要部断面図である。
【００１５】
緩衝材１の被梱包物挿入部３は、被梱包物２の外形形状に沿うように形成されているが、被梱包物２である分離型空気調和機室内機の天面の吸込み側６が被梱包物２の下面の吹出し側７より下に下がるような傾きが形成されている。
【００１６】
この構成により、緩衝材１の被梱包物２の底面側の緩衝空間Ｔ１は吹出し側の緩衝空間Ｔ２より低くなるように構成される。
【００１７】
以上のように、本実施例の形態においては、被梱包物である分離型空気調和機室内機の天面の吸込み側の緩衝空間を少なくし、下面の吹出し側の緩衝空間を大きくすることで被梱包物の剛性の高い部分の緩衝空間を少なくし、脆弱部である部分の緩衝空間を多く確保することが可能となる。
【産業上の利用可能性】
【００１８】
以上のように、本発明にかかる緩衝材は、被梱包物を回転させ傾きを付けて緩衝材に挿入させるもので、分離型空気調和機室内機を以外の緩衝材にも利用できる。
【図面の簡単な説明】
【００１９】
【図１】本発明の第１および第２の実施の形態における包装状態を示す分解斜視図
【図２】本発明の第２の実施形態における緩衝材の要部断面図
【図３】従来の緩衝材の包装状態を示す分解斜視図
【符号の説明】
【００２０】
１  緩衝材
２  被梱包物
３  緩衝材の挿入部
４  緩衝材の局面部
５  傾き
６  被梱包物の吸い込み側
７  被梱包物の吹出し側
【図１】
2009090994.tif 000003
【図２】
2009090994.tif 000004
【図３】
2009090994.tif 000005